(57)【要約】【課題】プラグの抜け止めを容易に行うことができ、しかも、過剰な外力が作用したときに抜け止めを解除することができるコンセントを提供することにある。【解決手段】コンセント装置Ｐは、栓刃挿入孔１０ａ〜１０ｃを一面１ａに有する器体１を備えている。この器体１には、プラグ１１０に設けられたロック片（被固定部）１１５を係止してプラグ１１０を挿抜位置に固定する係止片１３が設けられている。係止片１３とロック片１１５との係止状態は、プラグ１１０と器体１が互いに離間する方向に所定値以上の力がかけられた際に解除される。【選択図】図１
2010086820.tif 000002
【特許請求の範囲】
【請求項１】
プラグの栓刃が挿入される栓刃挿入孔を一面に有する器体と、栓刃挿入孔に挿入された栓刃に接触される刃受部および電源に接続される端子部を有する電気接続部とを備え、
器体には、プラグを固定する固定手段を、プラグに設けられた複数の被固定部とで構成する複数の固定部が設けられ、
固定手段は、プラグとボディが互いに離間する方向に所定値以上の力がかけられた際にプラグの固定を解除することを特徴とするコンセント装置。
【請求項２】
上記器体の上記一面側には、上記プラグを囲繞する周壁部が設けられていることを特徴とする請求項１記載のコンセント装置。
【請求項３】
上記複数の固定部は、上記プラグの中心軸に対して点対称となる位置に設けられていることを特徴とする請求項１または２記載のコンセント装置。
【発明の詳細な説明】
【技術分野】
【０００１】
本発明は、コンセント装置に関するものである。
【背景技術】
【０００２】
従来から、種種のコンセント装置（コンセント）が提案されている。コンセントでは、プラグ（差込プラグ）の栓刃をコンセントの刃受で狭持することによって、プラグがコンセントに接続されている。そのため、外部からの力に対してプラグが抜け易く、例えばプラグが抜けることで予期せずに電気機器の動作が停止したり、プラグの栓刃と刃受との接触面積が小さくなって接触抵抗が増大して高熱が発生したりするといった問題が生じるおそれがあった。
【０００３】
そこで、このようなプラグの抜けを防止するために種々の構造が提案されている。例えば、特許文献１には、プラグをコンセントに接続した後に所定角度回転させることによって、プラグの栓刃に設けられた透孔にコンセントの刃受に設けた突起が入り込んで、プラグを抜け止めする構造が開示されている。
【特許文献１】特開２００１−１８５２８９号公報
【発明の開示】
【発明が解決しようとする課題】
【０００４】
しかしながら、上記の特許文献１に示すものでは、プラグの抜け止めを行うために、プラグをコンセントに接続した後に所定角度回転させなければならず、抜け止め作業が面倒であった。
【０００５】
また、特許文献１に示すものでは、プラグが強固に抜け止めされ、容易には抜けないようになっている。しかし、安全面を考えれば、過剰な外力が作用した際にはプラグがコンセントから抜けたほうがよい場合がある。例えば、ドライヤや炊飯器などの給電が停止されても影響が少ない電気機器などでは、過剰な外力が作用したときにプラグの抜け止めが解除されるほうが好ましい。これは、プラグやコンセントの破損、コードの断線、コードに足を引っ掛けた人の転倒などを防止できるというメリットが、給電が停止されるというデメリットを上回るからである。
【０００６】
本発明は上述の点に鑑みて為されたもので、プラグの抜け止めを容易に行うことができ、しかも、過剰な外力が作用したときに抜け止めを解除することができるコンセントを提供することにある。
【課題を解決するための手段】
【０００７】
上述の課題を解決するために、請求項１の発明では、プラグの栓刃が挿入される栓刃挿入孔を一面に有する器体と、栓刃挿入孔に挿入された栓刃に接触される刃受部および電源に接続される端子部を有する電気接続部とを備え、器体には、プラグを固定する固定手段を、プラグに設けられた複数の被固定部とで構成する複数の固定部が設けられ、固定手段は、プラグとボディが互いに離間する方向に所定値以上の力がかけられた際にプラグの固定を解除することを特徴とする。
【０００８】
この発明によれば、被固定部を有するプラグを接続すれば、プラグの被固定部と器体の固定部とによってプラグが器体に固定される。そのため、従来例とは異なりプラグを回転させる必要がなく、プラグの抜け止めを容易に行うことができる。しかも、プラグと器体が互いに離間する方向に所定値以上の力がかけられた際にプラグの固定（プラグの抜け止め）が解除される。そのため、プラグのコードに人が足を引っ掛けたりして過剰な外力が作用した際には、プラグの抜け止めが解除され、よって、プラグの破損やコードの断線、人の転倒などを防止することができ、安全性が高い。
【０００９】
請求項２の発明では、請求項１の発明において、上記器体の上記一面側には、上記プラグを囲繞する周壁部が設けられていることを特徴とする。
【００１０】
この発明によれば、プラグをコンセントに接続する際に、プラグの栓刃に指が触れ難くなるから、接続時に感電してしまう可能性を低減することができる。また、埃がプラグの栓刃間に溜まり難くなるから、トラッキングによって火災が発生してしまう可能性を低減することができる。
【００１１】
請求項３の発明では、請求項１または２の発明において、上記複数の固定部は、上記プラグの中心軸に対して点対称となる位置に設けられていることを特徴とする。
【００１２】
この発明によれば、プラグを引き抜く方向にかかる負荷を複数の固定部で効率よく分散することができるから、プラグの固定状態が安定し、プラグの栓刃が中途半端に栓刃挿入孔から抜けてしまうといった状態（半抜け状態）が生じ難くなる。
【発明の効果】
【００１３】
本発明は、プラグの抜け止めを容易に行うことができ、しかも、過剰な外力が作用したときに抜け止めを解除することができるため、プラグの破損やコードの断線、人の転倒などを防止できて安全に使用できるという効果を奏する。
【発明を実施するための最良の形態】
【００１４】
本発明の一実施形態のコンセント装置（以下、単に「コンセント」と略称する）Ｐは、例えば、商用電源からの給電に使用される屋内用のコンセントである。
【００１５】
このようなコンセントＰには、例えば、図４，５に示すように、コード１００の一端に設けられるプラグ１１０が接続される。プラグ１１０は、絶縁性を有する樹脂材料により中空の円柱状に形成された本体部１１１を有している。本体部１１１の後端面（図５における上面）からは、コード１００が突出している。ここで、コード１００は、３本の絶縁被覆電線を１本の絶縁チューブ内に配置してなる３芯のものであり、３本の絶縁被覆電線のうちの２本が電圧極の接続に、残りの１本が接地極の接続に使用される。
【００１６】
本体部１１１の先端面（前端面であり、図５における下面）からは、２本の平板状の栓刃１１２ａ，１１２ｂと、１本の丸棒状の栓刃１１２ｃの計３本の栓刃（ピン）が突出している。ここで、２本の平板状の栓刃１１２ａ，１１２ｂは電圧極用の栓刃であり、先端部には、断面円形状の係止孔（透孔）１１３が厚み方向に貫設されている。丸棒状の栓刃１１２ｃは接地極用の栓刃である。本体部１１１内において、２つの栓刃１１２ａ，１１２ｂはコード１００の電圧極用の２本の絶縁被覆電線の一端に接続され、栓刃１１２ｃはコード１００の接地極用の絶縁被覆電線の一端に接続されている。
【００１７】
ところで、図４，５に示すプラグ１１０の外側面には、２つの溝部１１４が形成されている。各溝部１１４は、本体部１１１の軸方向（プラグ１１０の挿抜方向）を長手方向としており、その一端側（本体部１１１の先端側）が開放されている。また、２つの溝部１１４は、本体部１１１の中心（本体部１１１の先端面に平行する面内における本体部１１１の中心軸の位置）に対して点対称となる位置に設けられている。
【００１８】
このような溝部１１４の長手方向他端側（本体部１１１の後端側）の面からは、ロック片１１５が延設されている。
【００１９】
ロック片１１５は、プラグ１１０の挿抜方向（図５における上下方向）に沿った方向を長手方向とする長尺状の弾性片１１５ａを有している。この弾性片１１５ａは、プラグ１１０の挿抜方向に交差する方向に弾性を有する形に形成されており、弾性片１１５ａの長さは、その先部がプラグ１１０の先端面（栓刃１１２ａ〜１１２ｃが突出される面、図５における下面）より外方に突出しない長さである。弾性片１１５ａの先部にはプラグ１１０をコンセントＰに固定するための爪部１１５ｂが設けられている。爪部１１５ｂは、図５に示すように、突出するにつれて挿抜方向における寸法が小さくなる断面略三角形状に形成されており、その突出方向は、弾性片１１５ａにおけるプラグ１１０側とは反対方向（挿抜方向に交差する方向に突出）である。また、弾性片１１５ａの中腹部には、弾性片１１５ａを容易に撓ませるための押圧用突部１１５ｃが形成されている。さらに、ロック片１１５は、ロック片１１５に負荷がかけられていない状態（ロック片１１５が変形していない状態）では、爪部１１５ｂと押圧用突部１１５ｃとが溝部１１４より外方に突出する形に形成されている。
【００２０】
本実施形態のコンセントＰは、上述したようなロック片１１５を有するプラグ１１０と、ロック片１１５を有さない一般的なプラグ１１０との両方を接続することができるように構成されている。ここでいう一般的なプラグ１１０とは、ＪＩＳなどの規格により広く市場に流通しているプラグを想定している。以下の説明では、ロック片１１５を有するプラグ１１０と、ロック片１１５を有さない一般的なプラグ１１０とを区別するために、必要に応じて、ロック片１１５を有するプラグ１１０を「専用プラグ」と称し、ロック片１１５を有さないプラグ１１０を「通常プラグ」と称する。
【００２１】
本実施形態のコンセントＰは、図１および図２に示すように、器体１を備えている。
【００２２】
器体１は、例えば、絶縁性を有する樹脂材料よりなる樹脂成形品であって、直方体の箱状に形成されている。ここで、器体１の外形サイズは、例えば、住宅の壁面に埋め込み設置される図示しない埋め込みボックス（スイッチボックス）内に収納することができるサイズに設定される。
【００２３】
また、器体１の一面（厚み方向の一面であり、図１（ｂ）における上面）１ａには、図２に示すように、３つ１組の栓刃挿入孔１０ａ〜１０ｃが２組設けられている。
【００２４】
栓刃挿入孔１０ａ，１０ｂは、電圧極用の栓刃挿入孔であり、プラグ１１０の電圧極用の栓刃１１２ａ，１１２ｂがそれぞれ挿入される。また、栓刃挿入孔１０ｃは、接地極用の栓刃挿入孔であり、プラグ１１０の接地極用の栓刃１１２ｃが挿入される。器体１は、一面１ａが露出する形で、上述の埋め込みボックスを利用して住宅の壁面（内壁面）などに埋め込まれ、これによって、コンセントＰが住宅の壁面（内壁面）に設置される。
【００２５】
各栓刃挿入孔１０ａ，１０ｂは、図１（ａ）に示すように、それぞれスリット状に形成されている。一方、栓刃挿入孔１０ｃは、略円形状に形成されている。
【００２６】
また、器体１の一面１ａには、凹所１１が２つ形成されている。凹所１１は、器体１の長手方向（図２における上下方向）において離間している。凹所１１の断面形状（開口形状）は、専用プラグ１１０の本体部１１１との間にはほとんど隙間が生じないような大きさ（本体部１１１の半径よりやや大きい半径）の真円形状である。そして、栓刃挿入孔１０ａ〜１０ｃは、２つの凹所１１の底面に１組ずつ形成されている。一方、器体１の他面（厚み方向の他面であり、図１（ｂ）における下面）には、電源（本実施形態の場合は、商用電源）用の配線を挿入するための配線挿入孔（図示せず）が形成されている。
【００２７】
上述した器体１には、プラグ１１０を電源（商用電源）に電気的に接続するための電気接続部（図示せず）が収納されている。電気接続部は、刃受部（図示せず）と端子部（図示せず）とを有している。ここで、上記刃受部は、各栓刃１１２ａ〜１１２ｃそれぞれを接触保持する３つの刃受を有している。また、上記端子部は、例えば電源用の配線が接続される電源用の一対の速結端子と、接地線が接続される接地用の速結端子とにより構成されている。このような電気接続部は従来周知のものを採用することができるから詳細な説明は省略する。
【００２８】
本実施形態のコンセントＰは、専用プラグ１１０を抜け止めするために、２つのロック片１１５の爪部１１５ｂそれぞれが入り込む２つの係止用の空所部１２を備えている。また、空所部１２と凹所１１の開口縁部との間の部位により、空所部１２内に入り込んだ爪部１１５を係止する係止片１３が構成されている。すなわち、器体１には、専用プラグ１１０を固定する固定手段を、専用プラグ１１０に設けられた複数の被固定部となるロック片１１５とで個別に構成する複数の固定部となる係止片１３が設けられている。
【００２９】
ここで、本実施形態では、図３に示すように、係止片１３における凹所１１の開口縁部側の角部（図３における上側の角部）をテーパ状に切り欠いて傾斜面１３ｂとしている。そのため、テーパ状に切り欠いていない場合に比べれば、爪部１１５ｂを凹所１１内に挿入し易くなっている。
【００３０】
したがって、専用プラグ１１０の場合、専用プラグ１１０の栓刃１１２ａ〜１１２ｃを凹所１１の底面に開口された栓刃挿入孔１０ａ〜１０ｃに挿入する形で、プラグ１１０の先端部を凹所１１内に差し入れれば、ロック片１１５の爪部１１５ｂが係止片１３によって係止される。その結果、プラグ１１０が器体１に対して抜け止めされる。
【００３１】
上述した固定手段によって器体１に固定された専用プラグ１１０をコンセントＰから引き抜く際には、押圧用突部１１５ｃを押圧することによって弾性片１１５ａの先部が凹所１１の内周面から離れるように弾性片１１５ａを変形させて、係止片１３による爪部１１５ｂの係止状態を解除すればよい。
【００３２】
また、弾性片１１５ａは弾性を有しているため、プラグ１１０と器体１が互いに離間する方向（プラグ１１０が相対的に器体１から離れる方向）に所定値以上の力がかけられた際には、このような力によって弾性片１１５ａが変形させられて、係止片１３による爪部１１５ｂの係止状態が解除される（プラグ１１０の固定が解除される）。
【００３３】
つまり、上記の固定手段は、プラグ１１０と器体１が互いに離間する方向に所定値以上の力がかけられた際にプラグ１１０の固定を解除する。ここで、上記の所定値は、プラグ１１０やコンセントＰが破損したり、プラグ１１０のコード１１０が断線したり、コード１１０に足を引っ掛けた人が転倒したりする前に、プラグ１１０がコンセントＰから抜けるような値に設定している。上記の所定値は、弾性片１１５ａの剛性や、爪部１１５ｂや係止片１３の形状（特に爪部１１５ｂと係止片１３との接触面の角度）などによって決定される。例えば、本実施形態では、図３に示すように、係止片１３における空所部１２側の角部をテーパ状に切り欠いて傾斜面１３ａとしている。そのため、テーパ状に切り欠いていない場合に比べれば、爪部１１５ｂと係止片１３との係止状態が解除され易くなっている。
【００３４】
以上述べたように本実施形態のコンセントＰは、プラグ１１０の栓刃１１２ａ〜１１２ｃが挿入される栓刃挿入孔１０ａ〜１０ｃを一面１ａに有する器体１と、栓刃挿入孔１０ａ〜１０ｃに挿入された栓刃１１２ａ〜１１２ｃに接触される刃受部および電源に接続される端子部を有する電気接続部とを備えている。そして、器体１には、プラグ１１０を固定する固定手段を、プラグ１１０に設けられた複数（本実施形態では２つ）の被固定部であるロック片１１５とで個別に構成する複数（本実施形態では２つ）の固定部である係止片１３が設けられている。この固定手段は、プラグ１１０と器体１が互いに離間する方向（プラグ１１０が相対的に器体１から離れる方向）に所定値以上の力がかけられた際にプラグ１１０の固定を解除する。
【００３５】
そのため、本実施形態のコンセントＰによれば、専用プラグ１１０を接続すれば、専用プラグ１１０のロック片１１５と器体１の係止片１３とによって専用プラグ１１０が器体１に固定される。そのため、従来例とは異なりプラグ１１０を回転させる必要がなく、プラグ１１０の抜け止めを容易に行うことができる。しかも、専用プラグ１１０と器体１が互いに離間する方向に所定値以上の力がかけられた際に専用プラグ１１０の固定（プラグの抜け止め）が解除される。そのため、専用プラグ１１０のコード１００に人が足を引っ掛けたりして過剰な外力が作用した際には、専用プラグ１１０の抜け止めが解除される。これによって、専用プラグ１１０の破損やコード１００の断線、人の転倒などを防止することができ、安全性が高い。また、複数の係止片１３は、専用プラグ１１０の中心軸に対して点対称となる位置に設けられているので、専用プラグ１１０を引き抜く方向にかかる負荷を複数の係止片１３で効率よく分散することができる。そのため、専用プラグ１１０の抜け止め状態（固定状態）が安定し、プラグ１１０の栓刃１１２ａ〜１１２ｃが中途半端に栓刃挿入孔１０ａ〜１０ｃから抜けてしまうといった状態（半抜け状態）が生じ難くなる。
【００３６】
ところで、固定手段としては、上記のようなロック片１１５と係止片１３とからなるものの他に、磁力を利用したものを採用することができる。このような固定手段は、例えば、器体１の一面１ａに磁石（永久磁石）よりなる板状の固定部を設け、プラグ１１０の先端面に磁石に吸着される材料（磁性材料）よりなる板状の被固定部を設けることによって、実現することができる。このような磁力を利用した固定手段を用いれば、被固定部を固定部に固定する作業が容易に行えるから、プラグ１１０の接続作業が容易になる。なお、この場合における上記所定値は、磁石の強さによって設定することができる。また、固定部を磁石とする代わりに被固定部を磁石としてもよく、要は、被固定部と固定部の一方は磁石よりなり、被固定部と固定部の他方は上記磁石に吸着される材料よりなるものであればよい。
【００３７】
さらに、本実施形態のコンセントＰでは、凹所１１の内面部が、プラグ１１０の先端部を囲繞する周壁部となる（すなわち、器体１の一面１ａ側には、プラグ１１０の先端部を囲繞する周壁部が設けられている）。そのため、プラグ１１０をコンセントＰに接続する際に、プラグ１１０の栓刃１１２ａ〜１１２ｃに指が触れ難くなるから、接続時に感電してしまう可能性を低減することができる。また、埃がプラグ１１０の栓刃１１２ａ，１１２ｂ間に溜まり難くなるから、トラッキングによって火災が発生してしまう可能性を低減することができる。なお、凹所１１の深さは、感電の発生を防止するのに好適な深さに設定される。このような深さは、人の指の大きさ等を考慮して適宜設定すればよい。
【００３８】
特に、凹所１１の断面形状を、専用プラグ１１０の本体部１１１との間にはほとんど隙間が生じないような大きさの真円形状としているから、専用プラグ１１０をコンセントＰに接続した状態では、埃が専用プラグ１１０の栓刃１１２ａ，１１２ｂ間により溜まり難くなる。
【００３９】
ところで、屋内用のコンセントは、一般的には、取付枠を利用して上述のスイッチボックス等に取り付けられる。このような場合には、取付枠を隠して見栄えを良くするために、化粧プレート１４（図６参照）が利用される。このような化粧プレート１４は、器体１の一面１ａを露出させる開口部１４ａを有する矩形枠状に形成されている。そして、化粧プレート１４は、器体１の一面１ａ側に配置される。
【００４０】
したがって、このような化粧プレート１４を器体１の一部として利用することができる。例えば、図６に示す化粧プレート１４には、周壁部１４ｂが設けられている。ここで、周壁部１４ｂは、プラグ１１０の先端部を囲繞する形に形成されている。また、周壁部１４ｂの内面には、上述の空所部１２が設けられており、当該空所部１２と周壁部１４ｂの先端面との間の部位によって、係止片１３が構成されている。すなわち、図６に示す例では、器体１の一面１ａに凹所１１を設けていない。
【００４１】
図６に示すコンセントＰに専用プラグ１１０を接続する場合、専用プラグ１１０の栓刃１１２ａ〜１１２ｃを器体１の一面に設けられた栓刃挿入孔１０ａ〜１０ｃに挿入するようにして、プラグ１１０の先端部を周壁部１４ｂ内に差し入れる。これによって、ロック片１１５の爪部１１５ｂが係止片１３によって係止されて、プラグ１１０が化粧プレート１４を介して器体１に対して抜け止めされる。
【００４２】
そして、器体１に固定された専用プラグ１１０をコンセントＰから引き抜く際には、押圧用突部１１５ｃを押圧することによって弾性片１１５ａの先部が周壁部１４ｂの内周面から離れるように弾性片１１５ａを変形させて、係止片１３による爪部１１５ｂの係止状態を解除すればよい。
【００４３】
また、弾性片１１５ａは弾性を有しているため、プラグ１１０と器体１が互いに離間する方向（プラグ１１０が相対的に器体１から離れる方向）に所定値以上の力がかけられた際には、このような力によって弾性片１１５ａが変形させられて、係止片１３による爪部１１５ｂの係止状態が解除される（プラグ１１０の固定が解除される）。
【００４４】
したがって、図６に示すコンセントＰであっても、図１〜図３に示すコンセントＰと同様の効果を得ることができる。
【００４５】
ところで、栓刃挿入孔１０ａ〜１０ｃは、図７および図８に示すように、それぞれ中心角が９０度より小さい円弧状に形成されていてもよい。この場合、プラグ１１０をコンセントＰに接続した後には、プラグ１１０を器体１の一面１ａに平行する面内において所定角度だけ回転させることができるようになっている。すなわち、栓刃挿入孔１０ａ〜１０ｃは、器体１の一面１ａに平行する面内において、プラグ１１０の栓刃１１２ａ〜１１２ｃを挿抜可能な後述する挿抜位置と、後述する抜け止め部によってプラグ１１０が抜け止めされる後述する抜止位置との間でプラグ１１０を回動可能な形に形成されている。なお、電圧極用の一対の栓刃挿入孔１０ａ，１０ｂは、それぞれ略同一円周上に位置しているが、接地極用の栓刃挿入孔１０ｃは、一対の栓刃挿入孔１０ａ，１０ｂとは異なる円周上に位置している。
【００４６】
この場合、凹所１１の断面形状（開口形状）は、通常プラグ１１０の先端部が後述する挿抜位置と後述する抜止位置との間で回転可能な大きさであり、かつ専用プラグ１１０の本体部１１１との間にはほとんど隙間が生じないような大きさ（本体部１１１の半径よりやや大きい半径）の真円形状である。
【００４７】
そして、図７および図８に示すような栓刃挿入孔１０ａ〜１０ｃを有する器体１には、図７に示すような刃受部３を有する電気接続部２が収納される。なお、電気接続部２の端子部については、図１〜図３に示すものと変わるところがないから説明は省略する。
【００４８】
刃受部３は、栓刃挿入孔１０ａ〜１０ｃに挿入された栓刃１１２ａ〜１１２ｃそれぞれに接触される刃受３ａ〜３ｃを備えている。刃受３ａ，３ｂは電圧極用の刃受であり、刃受３ｃは接地極用の刃受である。電圧極用の一対の刃受３ａ，３ｂは一対の栓刃挿入孔１０ａ，１０ｂそれぞれに対応する形で器体１に収納され、接地極用の刃受３ｃは栓刃挿入孔１０ｃに対応する形で器体１に収納されている。
【００４９】
接地極用の刃受３ｃは、プラグ１１０の栓刃１１２ｃを狭持する一対の刃受ばね３０ｃ，３１ｃを有している。一対の刃受ばね３０ｃ，３１ｃはいずれも器体１の一面１ａに平行する面内における断面形状が円弧状となるように形成されている。
【００５０】
一方、電圧極用の刃受３ａは、栓刃１１２ａを狭持する一対の刃受ばね３０ａ，３１ａを有している。刃受ばね（栓刃１１２ａにおける他方の栓刃１１２ｂ側とは反対側の面に接触される刃受ばね）３０ａは、器体１の一面１ａに平行する面内における断面形状が円弧状となるように形成されている。刃受ばね（栓刃１１２ａにおける他方の栓刃１１２ｂとの対向面に接触される刃受ばね）３１ａは、器体１の一面１ａに平行する面内における断面形状が、中央部が刃受ばね３０ａ側に突出する形の略く字状に形成されている。そのため、刃受ばね３１ａには、刃受ばね３０ａと対向する面が２つあり、一方の面には係止突起３２が設けられ、他方の面は平坦面である。係止突起３２は、プラグ１１０を抜け止めするためのものであり、プラグ１１０の係止孔１１３に入り込む大きさに形成されている。
【００５１】
また、電圧極用の刃受３ｂは、刃受３ａと同様に、栓刃１１２ｂを狭持する一対の刃受ばね３０ｂ，３１ｂを有している。刃受ばね３０ｂ，３１ｂそれぞれは、刃受３ａの刃受ばね３０ａ，３１ａそれぞれと同形状に形成されている。また、刃受ばね３１ｂには、刃受ばね３１ａと同様に、刃受ばね３０ｂと対向する面が２つあり、一方の面には係止突起３２が設けられており、他方の面は平坦面である。
【００５２】
電圧極用の一対の刃受３ａ，３ｂは、通常プラグ１１０の回転中心に対して点対称となる位置に配置されている。そのため、刃受ばね３１ａの一方の面（係止突起３２が設けられた面）と刃受ばね３１ｂの一方の面（係止突起３２が設けられた面）とは互いに平行し、刃受ばね３１ａの他方の面と刃受ばね３１ｂの他方の面とは互いに平行している。
【００５３】
ここで、前述の挿抜位置は、栓刃１１２ａが刃受ばね３１ａの他方の面と刃受ばね３０ａとの間で狭持されるとともに、栓刃１１２ｂが刃受ばね３１ｂの他方の面と刃受ばね３０ｂとの間で狭持される位置でプラグ１１０がコンセントＰに接続される位置である。この場合、各刃受ばね３１ａ，３１ｂの他方の面は平坦面であるから、栓刃１１２ａ，１１２ｂを栓刃挿入孔１０ａ，１０ｂから自由に挿抜することができる。
【００５４】
一方、前述の抜止位置は、栓刃１１２ａが刃受ばね３１ａの一方の面と刃受ばね３０ａとの間で狭持されるとともに、栓刃１１２ｂが刃受ばね３１ｂの一方の面と刃受ばね３０ｂとの間で狭持される位置でプラグ１１０がコンセントＰに接続される位置である。このとき、各係止突起３１がプラグ１１０の栓刃１１２ａ，１１２ｂそれぞれの係止孔１１３に入り込むから、栓刃１１２ａ，１１２ｂを栓刃挿入孔１０ａ，１０ｂから自由に挿抜することができず、プラグ１１０が抜け止めされる。
【００５５】
そして、挿抜位置と抜止位置とは、器体１の一面１ａに平行する面内で通常プラグ１１０を回転させることで切り替えることができる。なお、各刃受３ａ〜３ｃの形状は使用を想定するプラグ１１０の規格に応じて適宜設定される。
【００５６】
ここで、専用プラグ１１０は、上述したようにロック片１１５を有しているので、挿抜位置と抜止位置との間で回転させることができず、挿抜位置でしかコンセントＰに接続することができない。
【００５７】
以上述べたように図７および図８に示すコンセントＰは、プラグ１１０の栓刃１１２ａ〜１１２ｃが挿入される栓刃挿入孔１０ａ〜１０ｃを一面１ａに有する器体１と、栓刃挿入孔１０ａ〜１０ｃに挿入された栓刃１１２ａ〜１１２ｃに接触される刃受部３および電源に接続される端子部を有する電気接続部２と、栓刃挿入孔１０ａ，１０ｂに挿入された栓刃１１２ａ，１１２ｂと機械的に結合してプラグ１１０の抜け止めをする抜け止め部となる係止突起３２とを備えている。各栓刃挿入孔１０ａ〜１０ｃは、器体１の一面１ａに平行する面内において、プラグ１１０の栓刃１１２ａ〜１１２ｃを挿抜可能な挿抜位置と係止突起３２によってプラグ１１０が抜け止めされる抜止位置との間で、プラグ１１０を回動可能な形に形成されている。
【００５８】
そして、器体１には、挿抜位置においてプラグ１１０を固定する固定手段を、プラグ１１０に設けられた複数（図示例では２つ）の被固定部であるロック片１１５とで個別に構成する複数（図示例では２つ）の固定部である係止片１３が設けられている。この固定手段は、プラグ１１０と器体１が互いに離間する方向（プラグ１１０が相対的に器体１から離れる方向）に所定値以上の力がかけられた際にプラグ１１０の固定を解除する。
【００５９】
そのため、図７および図８に示すコンセントＰによれば、専用プラグ１１０を接続した場合は、専用プラグ１１０が挿抜位置に位置したときに、専用プラグ１１０のロック片１１５と器体１の係止片１３とによって専用プラグ１２０が器体１に固定される。そのため、専用プラグ１１０を抜け止めすることができて、予期せずに専用プラグ１１０が外れることを防止できる。しかも、専用プラグ１１０と器体１が互いに離間する方向に所定値以上の力がかけられた際に専用プラグ１１０の固定（プラグの抜け止め）が解除される。そのため、専用プラグ１１０のコード１００に人が足を引っ掛けたりして過剰な外力が作用した際には、専用プラグ１１０の抜け止めが解除される。これによって、専用プラグ１１０の破損やコード１００の断線、人の転倒などを防止することができ、安全性が高い。
【００６０】
また、ロック片１１５と係止片１３とで固定手段が構成されており、ロック片１１５を空所部１２に差し込むだけでロック片１１５が係止片１３によって係止される。そのため、通常プラグ１１０の場合とは異なり、挿抜位置から回転位置に回転させる必要がないから、専用プラグ１１０の接続作業が容易に行える。
【００６１】
しかも、複数の係止片１３は、挿抜位置に位置した専用プラグ１１０の中心軸に対して点対称となる位置に設けられているので、専用プラグ１１０を引き抜く方向にかかる負荷を複数の係止片１３で効率よく分散することができる。そのため、専用プラグ１１０の抜け止め状態（固定状態）が安定し、プラグ１１０の栓刃１１２ａ〜１１２ｃが中途半端に栓刃挿入孔１０ａ〜１０ｃから抜けてしまうといった状態（半抜け状態）が生じ難くなる。
【００６２】
一方、通常プラグ１１０の場合、プラグ１１０の栓刃１１２ａ〜１１２ｃを凹所１１の底面に開口された栓刃挿入孔１０ａ〜１０ｃに挿入するとともに、プラグ１１０の先端部を凹所１１内に差し入れた後に、所定角度回転させて抜止位置に位置させることによって、プラグ１１０の栓刃１１２ａ，１１２ｂの係止孔１１３に係止突起３２が嵌り込んで、プラグ１１０が抜け止めされる。そのため、予期せずに通常プラグ１１０が外れることを防止することができる。
【００６３】
このように、図７および図８に示すコンセントＰによれば、ロック片１１５の有無にかかわらずプラグ１１０を抜け止めすることができ、またプラグ１１０がロック片１１５を有する場合（専用プラグ１１０である場合）には、過剰な外力が作用したときに抜け止めを解除することができる。
【００６４】
そのため、図７および図８に示すコンセントＰでは、パーソナルコンピュータやサーバなどの常時給電が必要とされる電気機器などでは、通常プラグ１１０を用いて接続し、ドライヤや炊飯器などの給電が停止されても影響が少ない電気機器などでは、専用プラグ１１０を用いて接続することができる。そのため、使用する電気機器の種類に応じて、抜け止めの強さを使い分けることができる。
【００６５】
さらに、図７および図８に示すコンセントＰでは、凹所１１の内面部が、挿抜位置と抜止位置との間で回転可能な形でプラグ１１０の先端部を囲繞する周壁部となる（すなわち、器体１の一面１ａ側には、挿抜位置と抜止位置との間で回転可能な形でプラグ１１０の先端部を囲繞する周壁部が設けられている）。そのため、プラグ１１０をコンセントＰに接続する際に、プラグ１１０の栓刃１１２ａ〜１１２ｃに指が触れ難くなるから、接続時に感電してしまう可能性を低減することができる。また、埃がプラグ１１０の栓刃１１２ａ，１１２ｂ間に溜まり難くなるから、トラッキングによって火災が発生してしまう可能性を低減することができる。なお、凹所１１の深さは、感電の発生を防止するのに好適な深さに設定される。このような深さは、人の指の大きさ等を考慮して適宜設定すればよい。
【００６６】
特に、凹所１１の断面形状を、専用プラグ１１０の本体部１１１との間にはほとんど隙間が生じないような大きさの真円形状としているから、専用プラグ１１０をコンセントＰに接続した状態では、埃が専用プラグ１１０の栓刃１１２ａ，１１２ｂ間により溜まり難くなる。
【００６７】
ところで、専用プラグ１１０としては、図９に示すようなものも用いることができる。図９に示す専用プラグ１１０は、主として防水カバー１１６を備えている点で、図４，５に示すものと異なっている。
【００６８】
防水カバー１１６は、可撓性を有する樹脂材料（例えば、ゴムなどのエラストマ）により形成されている。防水カバー１１６は、本体部１１１の外周面を覆う円筒状の側壁部１１６ａと、本体部１１１の後端面を覆う後壁部１１６ｂとを一体に備えている。
【００６９】
側壁部１１６ａの外径は、側壁部１１６ａの外面が凹所１１の内面に密着するような大きさ（凹所１１の内径よりやや小さい値）に設定されている。側壁部１１６ａの先端面（図９における下端面）は、専用プラグ１１０の先端面を含む平面と同一平面上に位置している。そのため、専用プラグ１１０をコンセントＰに接続した際に、側壁部１１６ａが邪魔にならないようにしている（側壁部１１６ａによって専用プラグ１１０の先端面とコンセントＰとの間に隙間が生じないようにしている）。
【００７０】
また、側壁部１１６ａの外側面の先端側には、爪部１１６ｃが一体に突設されている。図９に示す専用プラグ１１０では、この爪部１１６ｃが、コンセントＰの係止片１３に係止される被固定部となる。側壁部１１６ａには、爪部１１６ｃが２つ設けられており、２つの爪部１１６ｃは、側壁部１１６ａの直径方向において並んでいる。この爪部１１６ｃは、上述した爪部１１５ｃと同様に、突出するにつれて挿抜方向における寸法が小さくなる断面略三角形状に形成されている。
【００７１】
なお、図９では図示されていないが、後壁部１１６ｂには、コード１００を通す挿通孔が厚み方向（前後方向）に貫設されている。
【００７２】
一方、図９に示す本体部１１１では、溝部１１４の長手方向他端側（本体部１１１の後端側）の面からは、ロック片１１５の代わりに支持片１１７が延設されている。
【００７３】
支持片１１７は、防水部１１６の爪部１１６ｃに所定の付勢力を付与するためのものである。支持片１１７は、プラグ１１０の挿抜方向（図９における上下方向）に沿った方向を長手方向とする長尺状の弾性片１１７ａを有している。
【００７４】
弾性片１１７ａは、プラグ１１０の挿抜方向に交差する方向に弾性を有する形に形成されており、弾性片１１７ａの長さは、その先部がプラグ１１０の先端面より外方に突出しない長さである。弾性片１１７ａの先部には支持部１１７ｂが設けられている。
【００７５】
支持部１１７ｂは、側壁部１１６ａにおける爪部１１６ｃとは反対側の内面に当接する形に形成されている。これによって、爪部１１６ｃに所定の付勢力が付与される。
【００７６】
また、弾性片１１７ａの中腹部には、弾性片１１７ａを容易に撓ませるための押圧用突部１１７ｃが形成されている。なお、支持部１１７ｂと押圧用突部１１７ｃとは、支持片１１７に負荷がかけられていない状態（支持片１１７が変形していない状態）では、溝部１１４より外方に突出しない形に形成されている。
【００７７】
図９に示す専用プラグ１１０を図１に示すコンセントＰに接続する場合、専用プラグ１１０の栓刃１１２ａ〜１１２ｃを凹所１１の底面に開口された栓刃挿入孔１０ａ〜１０ｃに挿入する形で、プラグ１１０の先端部を凹所１１内に差し入れる。このとき、防水カバー１１６の爪部１１６ｃが係止片１３によって係止され、これによって、プラグ１１０が器体１に対して抜け止めされる。ここで、側壁部１１６ａの外径は、側壁部１１６ａの外面が凹所１１の内面に密着するような大きさに設定されている。そのため、専用プラグ１１０をコンセントＰに接続した状態では、専用プラグ１１０と凹所１１との隙間を通して水等が栓刃挿入孔１０ａ〜１０ｃ内に入り込んで、短絡や漏電などの電気事故が生じてしまうことを防止できる。
【００７８】
そして、図９に示す専用プラグ１１０をコンセントＰから引き抜く際には、押圧用突部１１７ｃを押圧することによって弾性片１１７ａの先部が凹所１１の内周面から離れるように弾性片１１７ａを変形させる。このようにすれば、支持部１１７ｂが側壁部１１６ａの内面から離間して、爪部１１６ｃに所定の付勢力が付与されなくなる。そのため、専用プラグ１１０をコンセントＰから引き抜く作業によって、係止片１３による爪部１１６ｃの係止状態が容易に解除される。
【００７９】
また、弾性片１１７ａは弾性を有しているため、プラグ１１０と器体１が互いに離間する方向（プラグ１１０が相対的に器体１から離れる方向）に所定値以上の力がかけられた際には、このような力によって弾性片１１７ａが変形させられて、係止片１３による爪部１１６ｂの係止状態が解除される（プラグ１１０の固定が解除される）。
【００８０】
このように図９に示す専用プラグ１１０であっても、図４，５に示す専用プラグ１１０と同様に、専用プラグ１１０をコンセントＰに抜け止めすることができて、予期せずに専用プラグ１１０が外れることを防止できる。また、専用プラグ１１０と器体１が互いに離間する方向に所定値以上の力がかけられた際に専用プラグ１１０の固定（プラグの抜け止め）が解除されため、専用プラグ１１０の破損やコード１００の断線、人の転倒などを防止することができ、安全性が高い。
【００８１】
ところで、本発明の技術的思想は、上述したような屋内用のコンセントだけではなく、屋外用のコンセントにも適用することができる。
【００８２】
図１０（ａ），（ｂ）は、本発明の技術的思想を適用した屋外用のコンセントＰを示している。
【００８３】
図１０（ａ）に示すコンセントＰは、建物（例えば住宅）の壁面（外壁面）Ｗに取り付けられる矩形板状の台部４を備えている。この台部４は絶縁性を有する樹脂材料により形成されている。
【００８４】
台部４における壁面Ｗ側とは反対側（図１０（ａ）における右面側）には、器体１が取り付けられている。
【００８５】
図１０（ａ）に示す器体１は、断面が中心角が９０度の扇形の箱状に形成されている。器体１は、扇形の一方の半径に対応する一面１ａを台部４の長手方向の一端側（図１０（ａ）における下端側）に向け、かつ扇形の他方の半径に対応する他面を台部４側に向けた状態で台部４に取り付けられている。そして、器体１の一面１ａには、図１〜図３に示すコンセントＰと同様に、電圧極用の一対の栓刃挿入孔１０ａ，１０ｂと、接地極用の栓刃挿入孔１０ｃとが形成されている。したがって、図１０（ａ）に示す器体１内には、図１〜図３に示すコンセントＰと同様の電気接続部が収納されている。
【００８６】
また、図１０（ａ）では図示されていないが、器体１には、図１〜図３に示すコンセントＰと同様に、凹所１１、空所部１２、および係止片１３が備えられている。
【００８７】
そのため、図１０（ａ）に示すようなコンセントＰによっても、図１〜図３に示すものと同様に、プラグ１１０の抜け止めを容易に行うことができる。また、過剰な外力が作用した際には、専用プラグ１１０の抜け止めが解除されるから、専用プラグ１１０の破損やコード１００の断線、人の転倒などを防止することができ、安全性が高いという効果を得ることができる。
【００８８】
さらに、図１０（ａ）に示すコンセントＰでは、器体１の一面１ａにおける台部４側とは反対側の端部に、防水用の庇部５が設けられている。この庇部５は、例えば、飛沫が栓刃挿入孔１０ａ〜１０ｃ内の刃受部３やプラグ１１０の栓刃１１２ａ〜１１２ｃにかかってしまうことを抑制することができる。
【００８９】
一方、図１０（ｂ）に示すコンセントＰは、図１０（ａ）に示すものと同様に台部４を有するが、器体１の形状が異なっている。なお、図１０（ｂ）に関する説明では、図１０（ｂ）における上方を器体１の上方、図１０（ｂ）における下方を器体１の下方、図１０（ｂ）における左方を器体１の後方、図１０（ｂ）における右方を器体１の前方と規定する。
【００９０】
図１０（ｂ）に示す器体１は、法線方向が斜め下方向を向いた一面１ａを有している。当該一面１ａには、図１〜図３に示すコンセントＰと同様に、電圧極用の一対の栓刃挿入孔１０ａ，１０ｂと、接地極用の栓刃挿入孔１０ｃとが形成されている。したがって、図１０（ａ）に示す器体１内には、図１〜図３に示すコンセントＰと同様の電気接続部が収納されている。
【００９１】
また、器体１には、図１〜図３に示すコンセントＰと同様に、凹所１１、空所部１２、および係止片１３が備えられている。ただし、図１０（ｂ）では、空所部１２および係止片１３の図示は省略している。
【００９２】
そのため、図１０（ｂ）に示すようなコンセントＰによっても、図１〜図３に示すものと同様に、プラグ１１０の抜け止めを容易に行うことができる。また、過剰な外力が作用した際には、専用プラグ１１０の抜け止めが解除されるから、専用プラグ１１０の破損やコード１００の断線、人の転倒などを防止することができ、安全性が高いという効果を得ることができる。
【００９３】
さらに、図１０（ｂ）に示すコンセントＰは、防水カバー６を備えている。防水カバー６は、器体１の一面１ａを覆うことができる大きさの矩形板状の平板部６０を備えている。平板部６０は、器体１の幅方向（図１０（ｂ）における紙面の法線方向）を回転軸方向として、器体１の一面１ａの上端側に回転可能に取り付けられている。ここで、平板部６０が回転する範囲は、器体１の一面１ａを覆う閉位置（図１０（ｂ）において点線で示す位置）と、器体１の一面１ａを開放する開位置（図１０（ｂ）において実線で示す位置）との間である。また、平板部６０は、ねじりコイルばねなどの付勢手段を利用して、常時は、閉位置に位置するように付勢されている。一方、器体１の一面１ａの下端側には、平板部６０を閉位置に固定するために固定片１５が設けられている。固定片１５は、器体１より突出形成された弾性片１５ａと、弾性片１５ａの先部に形成された固定爪部１５ｂとを有している。この固定爪部１５は、平板部６０が閉位置に位置した状態において、平板部６０における一面１ａ側とは反対側の面の縁部を引っ掛けることができる形に形成されている。
【００９４】
上述したように、防水カバー６は、常時は閉位置に位置しているため、プラグ１１０を接続していない状態では、器体１の一面１ａは平板部６０で覆われている。そのため、飛沫が栓刃挿入孔１０ａ〜１０ｃ内の刃受部３やプラグ１１０の栓刃１１２ａ〜１１２ｃにかかってしまうことを確実に防止することができる。
【００９５】
図１０（ｂ）に示すコンセントＰにプラグ１１０を接続する際には、防水カバー６を閉位置から開位置に移動させた後に、プラグ１１０の栓刃１１２ａ〜１１２ｃを栓刃挿入孔１０ａ〜１０ｃに挿入すればよい。このとき、平板部６０は閉位置に位置するように付勢されているから、平板部６０は本体部１１１の後端部に弾接することになる。この状態では、防水カバー６は、図１０（ａ）に示す庇部５と同様の効果を発揮する。すなわち、飛沫が栓刃挿入孔１０ａ〜１０ｃ内の刃受部３やプラグ１１０の栓刃１１２ａ〜１１２ｃにかかってしまうことを抑制することができる。また、防水カバー６の平板部６０には、コンセントＰに接続された本体部１１１の後端面に当接する抜止用リブ６１が一体に突設されている。この抜止用リブ６１を設けたことにより、防水カバー６にプラグ１１０の抜け止めとしての機能を持たせることができる。
【００９６】
なお、図１０（ａ），（ｂ）に示すコンセントＰには、図７および図８に示すコンセントＰの栓刃挿入孔１０ａ〜１０ｃおよび電気接続部２を採用することもできる。この場合には、図７および図８に示すコンセントＰと同様の効果を得ることができる。
【００９７】
上述した図１０（ａ），（ｂ）に示すような屋外用のコンセントＰは、例えば、図１１に示すように、電気自動車Ｃの充電などに使用される。ここで、電気自動車とは、電池（二次電池）と電動機（モータ）が搭載された自動車をいい、これには、内燃機関（ガソリンエンジン）と電動機とが搭載された所謂ハイブリッドカーや、プラグインハイブリッドカーも含まれる。
【００９８】
電気自動車Ｃには給電用のインレットが設けられている。電気自動車のインレットは、電気自動車Ｃに搭載される電池の規格等に応じて好適な形状や、構造が採用される。また、電気自動車Ｃに、交流電力を直流電力に変換して上記電池を充電する充電装置（図示せず）が搭載されている場合、インレットは、交流電源（例えば、周波数が５０Ｈｚあるいは６０ＨｚのＡＣ２００Ｖの商用電源）に接続可能な形に構成されている。
【００９９】
このような電気自動車Ｃの上記電池を充電するにあたっては、電気自動車充電用コードセット（以下、「コードセット」と略称する）Ｓが利用される。
【０１００】
コードセットＳは、交流電源に対応するアウトレットと電気自動車のインレットとを接続するために使用される電源コードセットである。図１１に示すコードセットＳは、建物（例えば住宅）の壁面（外壁面）に設置されるコンセントＰに接続されるプラグ１１０が設けられたコード（電源側コード）１００と、自動車Ｃのインレットに接続されるコネクタ１２０が設けられたコード（負荷側コード）１３０と、電源側コード１００と負荷側コード１２０とを連結し漏電発生時にコード１００，１２０間の電路を遮断する漏電遮断装置１４０とを備えている。
【０１０１】
なお、屋外用のコンセントＰの用途は電気自動車Ｃの充電に限られるものではなく、例えば、庭に設置された庭園灯への給電など、種々の用途に使用することができる。
【０１０２】
以上、本発明のコンセント装置の実施形態について述べたが、上述の例は、あくまでも一例に過ぎない。よって、本発明の技術的範囲は上記の例に限定されず、各実施形態は、本発明の趣旨を逸脱しない範囲で変更することができる。
【０１０３】
例えば、上記の例では、電圧極用の一対の刃受３ａ，３ｂに設けられた係止突起３２が抜け止め部を構成している。しかし、抜け止め部は、栓刃挿入孔１０ａ〜１０ｃに挿入された栓刃１１２ａ〜１１２ｃと機械的に結合してプラグ１１０の抜け止めをするものであればよい。例えば、抜け止め部としては、ＪＩＳに規定されている引掛形の栓刃を引っ掛けるための引掛受部などを採用することもできる。すなわち、このようなコンセントＰの抜け止め部には、ＪＩＳ（ＪＩＳ  Ｃ８３０３−１９９３）やその他の規格により一般に広く使用されているものを採用することができる。また、器体１の形状、特に栓刃挿入孔１０ａ〜１０ｃの形状も上記の例のものに限定されず、接地極用の栓刃挿入孔１０ｃを有さない構成のものであってもよい。
【図面の簡単な説明】
【０１０４】
【図１】本発明の一実施形態のコンセント装置を示し、（ａ）は部分正面図、（ｂ）はプラグとの接続状態の説明図である。
【図２】同上のコンセント装置の正面図である。
【図３】同上のコンセント装置の部分断面図である。
【図４】プラグの斜視図である。
【図５】プラグの側面図である。
【図６】同上のコンセント装置の他例の断面図である。
【図７】本発明の他の実施形態のコンセント装置の部分正面図である。
【図８】同上のコンセント装置の正面図である。
【図９】専用プラグの他例を示す側面図である。
【図１０】本発明のさらに他の実施形態のコンセント装置の側面図である。
【図１１】同上のコンセント装置の使用説明図である。
【符号の説明】
【０１０５】
１    器体
１ａ  一面
２    電気接続部
３    刃受部
１０ａ〜１０ｃ  栓刃挿入孔
１３    係止片（固定部）
１４ｂ  周壁部
３２    係止突起（抜け止め部）
１１０    プラグ
１１５    ロック片（被固定部）
Ｐ    コンセント装置
【図１】
2010086820.tif 000003
【図２】
2010086820.tif 000004
【図３】
2010086820.tif 000005
【図４】
2010086820.tif 000006
【図５】
2010086820.tif 000007
【図６】
2010086820.tif 000008
【図７】
2010086820.tif 000009
【図８】
2010086820.tif 000010
【図９】
2010086820.tif 000011
【図１０】
2010086820.tif 000012
【図１１】
2010086820.tif 000013